(57)【要約】      （修正有）【課題】大容量の記録メディアを用いる場合であっても、電源オンから撮像可能になるまでの時間を短縮することができる撮像装置、撮像装置制御方法及び撮像装置制御プログラムを提供する。【解決手段】ユーザにより電源スイッチが操作されて電源オンになると、初期化処理（Ｓ２０）、撮影準備処理（Ｓ２２）及び記録メディアの空き容量の解析が行われる（Ｓ２４）。そして、撮像準備処理は終了しているが（Ｓ２６のＹｅｓ）、記録メディアの空き容量の解析が終了していない段階で（Ｓ２８のＮｏ）、レリーズボタンが押下されると（Ｓ３０のＹｅｓ）、電源オフ時に検出されたフラッシュメモリの空き容量が撮像される画像のサイズ以上であれば（Ｓ３２のＹｅｓ）、撮像が実行され、撮像された画像はフラッシュメモリに記録され（Ｓ３４）、Ｓ２４の処理に戻る。【選択図】図５
2007180599.tif 000002
【特許請求の範囲】
【請求項１】
画像を撮像する撮像装置であって、
前記撮像装置の電源のオン／オフを制御する電源制御手段と、
前記画像を撮像する撮像手段と、
前記撮像手段に撮像の実行指示を行うための撮像指示手段と、
前記撮像された画像を記録する記録手段であって、前記撮像装置から着脱可能な第１の記録手段と、
前記撮像装置に内蔵された第２の記録手段と、
前記撮像装置の電源オン時に、前記第１の記録手段の空き容量を解析する第１の空き容量解析手段と、
前記撮像装置の電源オン時に、前記第１の記録手段の空き容量の解析が終了する前に撮像の実行指示が行われた場合に、前記撮像された画像を前記第２の記録手段に記録させる記録制御手段と、
を備えることを特徴とする撮像装置。
【請求項２】
前記第２の記録手段は、不揮発性であり、
前記撮像装置の前回電源オフ時に、前記第２の記録手段の空き容量を解析して記録しておく第２の空き容量解析手段を更に備えることを特徴とする請求項１記載の撮像装置。
【請求項３】
前記第２の空き容量解析手段は、前記第２の記録手段の空き容量として、静止画の撮像可能枚数又は動画の撮像可能時間のうち少なくとも一方を記録することを特徴とする請求項２記載の撮像装置。
【請求項４】
前記記録制御手段は、前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する第１の警告出力手段を備えることを特徴とする請求項１から３のいずれか１項記載の撮像装置。
【請求項５】
前記記録制御手段は、前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する第２の警告出力手段を備えることを特徴とする請求項１から４のいずれか１項記載の撮像装置。
【請求項６】
前記記録制御手段は、前記第１の記録手段の空き容量の解析が終了した後、前記第２の記録手段に記録された画像を前記第１の記録手段に移動又はコピーすることを特徴とする請求項１から５のいずれか１項記載の撮像装置。
【請求項７】
画像を撮像する撮像装置を制御する撮像装置制御方法であって、
前記撮像装置の電源のオン／オフを制御する工程と、
前記撮像の実行指示を行う工程と、
前記画像を撮像する工程と、
前記撮像装置の電源オン時に、前記撮像装置から着脱可能な第１の記録手段の空き容量を解析する工程と、
前記撮像装置の電源オン時に、前記第１の記録手段の空き容量の解析が終了する前に撮像の実行指示が行われた場合に、前記撮像された画像を前記撮像装置に内蔵された第２の記録手段に記録させる工程と、
を備えることを特徴とする撮像装置制御方法。
【請求項８】
前記第２の記録手段は、不揮発性であり、
前記撮像装置の前回電源オフ時に、前記第２の記録手段の空き容量を解析して記録しておく工程を更に備えることを特徴とする請求項７記載の撮像装置制御方法。
【請求項９】
前記第２の記録手段の空き容量として、静止画の撮像可能枚数又は動画の撮像可能時間のうち少なくとも一方を記録することを特徴とする請求項８記載の撮像装置制御方法。
【請求項１０】
前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する工程を更に備えることを特徴とする請求項７から９のいずれか１項記載の撮像装置制御方法。
【請求項１１】
前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する工程を更に備えることを特徴とする請求項７から１０のいずれか１項記載の撮像装置制御方法。
【請求項１２】
前記第１の記録手段の空き容量の解析が終了した後、前記第２の記録手段に記録された画像を前記第１の記録手段に移動又はコピーする工程を更に備えることを特徴とする請求項７から１１のいずれか１項記載の撮像装置制御方法。
【請求項１３】
画像を撮像する撮像装置を制御する撮像装置制御プログラムであって、
前記撮像装置の電源のオン／オフを制御する機能と、
前記撮像の実行指示を行う機能と、
前記画像を撮像する機能と、
前記撮像装置の電源オン時に、前記撮像装置から着脱可能な第１の記録手段の空き容量を解析する機能と、
前記撮像装置の電源オン時に、前記第１の記録手段の空き容量の解析が終了する前に撮像の実行指示が行われた場合に、前記撮像された画像を前記撮像装置に内蔵された第２の記録手段に記録させる機能と、
をコンピュータに実現させることを特徴とする撮像装置制御プログラム。
【請求項１４】
前記第２の記録手段は、不揮発性であり、
前記撮像装置の前回電源オフ時に、前記第２の記録手段の空き容量を解析して記録しておく機能をコンピュータに実現させることを特徴とする請求項１３記載の撮像装置制御プログラム。
【請求項１５】
前記第２の記録手段の空き容量として、静止画の撮像可能枚数又は動画の撮像可能時間のうち少なくとも一方を記録する機能をコンピュータに実現させることを特徴とする請求項１４記載の撮像装置制御プログラム。
【請求項１６】
前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する機能をコンピュータに実現させることを特徴とする請求項１３から１５のいずれか１項記載の撮像装置制御プログラム。
【請求項１７】
前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する機能をコンピュータに実現させることを特徴とする請求項１３から１６のいずれか１項記載の撮像装置制御プログラム。
【請求項１８】
前記第１の記録手段の空き容量の解析が終了した後、前記第２の記録手段に記録された画像を前記第１の記録手段に移動又はコピーする機能をコンピュータに実現させることを特徴とする請求項１３から１７のいずれか１項記載の撮像装置制御プログラム。
【発明の詳細な説明】
【技術分野】
【０００１】
本発明は撮像装置、撮像装置制御方法及び撮像装置制御プログラムに係り、特に画像等のデータを記録するための内蔵メモリを有する撮像装置等に関する。
【背景技術】
【０００２】
特許文献１には、複数の撮像部を設けて、各撮像部を所定の連写間隔で順次に動作させて被写体を連続撮像するデジタルカメラについて開示されている。特許文献１記載のデジタルカメラでは、連続撮像モード下において複数フレームの画像データを内蔵メモリに書き込まれたのち、メモリカードに書き込まれるようになっている。
【特許文献１】特開２００５−８６２１９号公報（段落［００２６］、段落［００５６］〜［００６６］等）
【発明の開示】
【発明が解決しようとする課題】
【０００３】
一般に、撮像した画像を着脱可能な記録メディアに記録する電子カメラでは、電源オン時に、沈胴式のレンズの繰り出しや電子カメラ内部のデバイスの初期化等の撮影準備が行われるとともに、記録メディアの空き容量の解析が行われる。
【０００４】
ところで、近年、電子カメラに用いられる記録メディアの大容量化が進んでおり、電子カメラにおける記録メディアの空き容量の解析に時間がかかる。例えば、１ＧＢの記録メディアの空き容量の解析に要する時間は約４００ミリ秒である。これに対して、電子カメラの電源オン時に撮影準備に要する時間は、一例で３００ミリ秒から４００ミリ秒である。このため、上記のレンズの繰り出し等の撮影準備が終了しても、記録メディアの空き容量の解析が終了せず、電源オンから撮像可能になるまでの処理に要する時間が長くなるおそれがあった。例えば、電子カメラの電源オフ時に突然シャッタチャンスに遭遇した場合に、記録メディアの空き容量の解析に時間がかかってしまい、シャッタチャンスを逃してしまうおそれがあった。
【０００５】
本発明はこのような事情に鑑みてなされたもので、大容量の記録メディアを用いる場合であっても、電源オンから撮像可能になるまでの時間を短縮することができる撮像装置、撮像装置制御方法及び撮像装置制御プログラムを提供することを目的とする。
【課題を解決するための手段】
【０００６】
上記目的を達成するために請求項１に係る撮像装置は、画像を撮像する撮像装置であって、前記撮像装置の電源のオン／オフを制御する電源制御手段と、前記画像を撮像する撮像手段と、前記撮像手段に撮像の実行指示を行うための撮像指示手段と、前記撮像された画像を記録する記録手段であって、前記撮像装置から着脱可能な第１の記録手段と、前記撮像装置に内蔵された第２の記録手段と、前記撮像装置の電源オン時に、前記第１の記録手段の空き容量を解析する第１の空き容量解析手段と、前記撮像装置の電源オン時に、前記第１の記録手段の空き容量の解析が終了する前に撮像の実行指示が行われた場合に、前記撮像された画像を前記第２の記録手段に記録させる記録制御手段とを備えることを特徴とする。
【０００７】
請求項１に係る撮像装置によれば、電源オン時において、第１の記録手段（着脱可能な記録メディア）の空き容量の解析が終了する前に撮像の実行指示がなされた場合であっても、不揮発性又は揮発性の第２の記録手段（フラッシュメモリ等）に画像を記録することができる。
【０００８】
請求項２に係る撮像装置は、請求項１において、前記第２の記録手段は、不揮発性であり、前記撮像装置の前回電源オフ時に、前記第２の記録手段の空き容量を解析して記録しておく第２の空き容量解析手段を更に備えることを特徴とする。
【０００９】
請求項２に係る撮像装置によれば、第２の記録手段が不揮発性の場合に、前回の電源オフ時に第２の記録手段の空き容量を解析しておくことにより、電源オン時に第２の記録手段への画像の記録を速やかに行うことができる。
【００１０】
請求項３に係る撮像装置は、請求項２において、前記第２の空き容量解析手段は、前記第２の記録手段の空き容量として、静止画の撮像可能枚数又は動画の撮像可能時間のうち少なくとも一方を記録することを特徴とする。
【００１１】
請求項４に係る撮像装置は、請求項１から３において、前記記録制御手段は、前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する第１の警告出力手段を備えることを特徴とする。
【００１２】
請求項４に係る撮像装置によれば、撮像した画像を記録することができない場合に、警告画面の表示や警告音の出力を行うことができる。
【００１３】
請求項５に係る撮像装置は、請求項１から４において、前記記録制御手段は、前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する第２の警告出力手段を備えることを特徴とする。
【００１４】
請求項６に係る撮像装置は、請求項１から５において、前記記録制御手段は、前記第１の記録手段の空き容量の解析が終了した後、前記第２の記録手段に記録された画像を前記第１の記録手段に移動又はコピーすることを特徴とする。
【００１５】
請求項６に係る撮像装置によれば、第１の記録手段の空き容量の解析終了前に撮影され、第２の記録手段に記録された画像を、空き容量の解析終了後に、第１の記録手段においてまとめて記録、管理できる。また、第２の記録手段の空き容量を増加させることにより、作業領域を確保することができる。
【００１６】
請求項７に係る撮像装置制御方法は、画像を撮像する撮像装置を制御する撮像装置制御方法であって、前記撮像装置の電源のオン／オフを制御する工程と、前記撮像の実行指示を行う工程と、前記画像を撮像する工程と、前記撮像装置の電源オン時に、前記撮像装置から着脱可能な第１の記録手段の空き容量を解析する工程と、前記撮像装置の電源オン時に、前記第１の記録手段の空き容量の解析が終了する前に撮像の実行指示が行われた場合に、前記撮像された画像を前記撮像装置に内蔵された第２の記録手段に記録させる工程とを備えることを特徴とする。
【００１７】
請求項８に係る撮像装置制御方法は、請求項７において、前記第２の記録手段は、不揮発性であり、前記撮像装置の前回電源オフ時に、前記第２の記録手段の空き容量を解析して記録しておく工程を更に備えることを特徴とする。
【００１８】
請求項９に係る撮像装置制御方法は、請求項８において、前記第２の記録手段の空き容量はとして、静止画の撮像可能枚数又は動画の撮像可能時間のうち少なくとも一方を記録することを特徴とする。
【００１９】
請求項１０に係る撮像装置制御方法は、請求項７から９において、前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する工程を更に備えることを特徴とする。
【００２０】
請求項１１に係る撮像装置制御方法は、請求項７から１０において、前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する工程を更に備えることを特徴とする。
【００２１】
請求項１２に係る撮像装置制御方法は、請求項７から１１において、前記第１の記録手段の空き容量の解析が終了した後、前記第２の記録手段に記録された画像を前記第１の記録手段に移動又はコピーする工程を更に備えることを特徴とする。
【００２２】
請求項１３に係る撮像装置制御プログラムは、画像を撮像する撮像装置を制御する撮像装置制御プログラムであって、前記撮像装置の電源のオン／オフを制御する機能と、前記撮像の実行指示を行う機能と、前記画像を撮像する機能と、前記撮像装置の電源オン時に、前記撮像装置から着脱可能な第１の記録手段の空き容量を解析する機能と、前記撮像装置の電源オン時に、前記第１の記録手段の空き容量の解析が終了する前に撮像の実行指示が行われた場合に、前記撮像された画像を前記撮像装置に内蔵された第２の記録手段に記録させる機能とをコンピュータに実現させることを特徴とする。
【００２３】
請求項１４に係る撮像装置制御プログラムは、請求項１３において、前記第２の記録手段は、不揮発性であり、前記撮像装置の前回電源オフ時に、前記第２の記録手段の空き容量を解析して記録しておく機能をコンピュータに実現させることを特徴とする。
【００２４】
請求項１５に係る撮像装置制御プログラムは、請求項１４において、前記第２の記録手段の空き容量として、静止画の撮像可能枚数又は動画の撮像可能時間のうち少なくとも一方を記録する機能をコンピュータに実現させることを特徴とする。
【００２５】
請求項１６に係る撮像装置制御プログラムは、請求項１３から１５において、前記撮像装置の電源オン時に、前記第１の記録手段の空き容量の解析が終了する前に撮像の実行指示が行われた場合に、前記第２の記録手段の空き容量が前記撮像された画像のサイズ未満のときに、警告を出力する機能をコンピュータに実現させることを特徴とする。
【００２６】
請求項１７に係る撮像装置制御プログラムは、請求項１３から１６において、前記撮像装置の電源オン時に、前記第１の記録手段の空き容量の解析が終了する前に動画の撮像の実行指示が行われ、前記撮像された画像を前記第２の記録手段に記録する場合に、前記撮像された動画の容量が前記第２の記録手段の空き容量を越えたときに、警告を出力する機能をコンピュータに実現させることを特徴とする。
【００２７】
請求項１８に係る撮像装置制御プログラムは、請求項１３から１７において、前記第１の記録手段の空き容量の解析が終了した後、前記第２の記録手段に記録された画像を前記第１の記録手段に移動又はコピーする機能をコンピュータに実現させることを特徴とする。
【００２８】
請求項１３から１８に係る撮像装置制御プログラムを含むソフトウェアやファームウェアを撮像装置、例えば、電子カメラ、デジタルカメラ、デジタルビデオカメラ、カメラを備える又は接続された装置（携帯電話、ＰＤＡ又はパソコン）等の装置に適用することにより、本発明の撮像装置及び撮像装置制御方法を実現することができる。
【発明の効果】
【００２９】
本発明によれば、電源オン時において、撮像装置から着脱可能な第１の記録手段の空き容量の解析が終了する前に撮像の実行指示がなされた場合であっても、不揮発性又は揮発性の第２の記録手段（フラッシュメモリ等）に画像を記録することができる。第１の記録手段の空き容量の解析終了前に撮影され、第２の記録手段に記録された画像を、空き容量の解析終了後に、第１の記録手段に移動又はコピーさせることにより、画像をまとめて記録、管理できるとともに、第２の記録手段の空き容量を増加させることにより、作業領域を確保することができる。
【発明を実施するための最良の形態】
【００３０】
以下、添付図面に従って本発明に係る撮像装置、撮像装置制御方法及び撮像装置制御プログラムの好ましい実施の形態について説明する。
【００３１】
図１及び図２は、本発明の一実施形態に係る撮像装置（電子カメラ、デジタルカメラ）を示す図である。図１は正面斜視図であり、図２は背面斜視図である。本実施形態の撮像装置１０のカメラボディ１２は、扁平状の四角い箱型に形成されている。図１に示すように、カメラボディ１２の正面には、撮影レンズ１４、ストロボ１６及びファインダ窓１８等が設けられており、上面には、レリーズボタン２０及び電源スイッチ２２が設けられている。図２に示すように、カメラボディ１２の背面には、ファインダ接眼部２４、ファインダランプ２６、液晶モニタ２８、モードスイッチ３０、ズームボタン３２、マクロボタン３４、ストロボボタン３６、ＭＥＮＵ／ＯＫボタン３８、ＢＡＣＫボタン４０及び表示ボタン４２等が設けられている。
【００３２】
電源スイッチ２２は、スライド式のスイッチであり、撮像装置１０の電源は、電源スイッチ２２をスライド操作することによりＯＮ／ＯＦＦされる。撮影レンズ１４は、沈胴式のズームレンズで構成されており、撮像装置１０の電源をオンにすることにより、カメラボディ１２の正面から繰り出される。そして、撮像装置１０の電源をオフにすることにより、カメラボディ１２内に沈胴する。
【００３３】
カメラボディ１２の上面に設けられたレリーズボタン２０は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮像が実行される。
【００３４】
カメラボディ１２の背面に設けられた液晶モニタ２８は、撮像した画像の再生用モニタとして使用されるとともに、撮像時には電子ビューファインダとして使用される。表示ボタン４２は、この電子ビューファインダのＯＮ／ＯＦＦ切替ボタンとして機能する。また、液晶モニタ２８は、ユーザインターフェース用表示画面としても利用され、必要に応じてメニュー情報や選択項目、設定内容等の情報が表示される。なお、液晶モニタ２８に代えて、有機ＥＬ（electro-luminescence）等の他の方式の表示装置を用いることも可能である。
【００３５】
モードスイッチ３０は、撮像装置１０のモードを切り替えるスイッチとして機能し、その設定位置によって静止画の撮像を行なう「撮像モード」と、撮像した画像を再生する「再生モード」とに切り替えられる。
【００３６】
ズームボタン３２は、上下方向に揺動自在なシーソーボタンで構成されており、ズーム操作時の操作ボタンとして機能する。すなわち、撮像モードの下、このズームボタン３２を上方向に操作することにより、ズームがテレ方向に操作され、下方向に操作することにより、ズームがワイド方向に操作される。
【００３７】
また、このズームボタン３２は、再生モードの下、再生画像のズームボタンとしても機能する。すなわち、再生モードの下、このズームボタン３２を上方向に操作することにより、再生画像が拡大表示され、下方向に操作することにより、再生画像が縮小表示される。
【００３８】
マクロボタン３４は、マクロ機能（接写機能）のＯＮ／ＯＦＦを切り替えるボタンとして機能し、撮像モードの下、このマクロボタン３４を押圧操作することにより、マクロ機能がＯＮ又はＯＦＦされる。また、このマクロボタン３４は、再生モードの下、コマ戻しボタン（１コマ前の画像が表示されるように指示するボタン）として機能する。
【００３９】
ストロボボタン３６は、ストロボモードを切り替えるボタンとして機能し、撮像モードの下、このストロボボタン３６を押圧操作することにより、ストロボモードが、ストロボ発光／発光禁止の各モードに設定される。また、このストロボボタン３６は、再生モードの下、コマ送りボタン（１コマ後の画像が表示されるように支持するボタン）として機能する。
【００４０】
ＭＥＮＵ／ＯＫボタン３８は、メニュー画面の表示を指示するボタンとして機能し、このＭＥＮＵ／ＯＫボタン３８が押されることにより、液晶モニタ２８にメニュー画面が表示される。また、このＭＥＮＵ／ＯＫボタン３８は、メニュー画面から選択した項目の確定や動作の実行を指示するボタンとして機能し、ＢＡＣＫボタン４０は、メニュー画面で選んだ項目の取消や一つ前の状態に戻すことを指示するボタンとして機能する。
【００４１】
なお、このメニュー画面が表示されている場合において、ズームボタン３２、マクロボタン３４、ストロボボタン３６の３つのボタンは、十字キーとして機能し、この３つのボタンを利用してメニュー項目の選択等が行なわれる。
【００４２】
図３は、撮像装置１０の主要構成を示すブロック図である。図３に示す撮像装置１０は、静止画や動画の記録及び再生機能を備えたデジタルカメラであり、撮像装置１０全体の動作は中央処理装置（ＣＰＵ）５０によって統括制御される。ＣＰＵ５０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路５２は、本カメラシステムの各ブロックに電源を供給する。
【００４３】
ＣＰＵ５０には、バス５４を介してＲＯＭ（Read Only Memory）５６及びフラッシュメモリ５８が接続されている。ＲＯＭ５６には、ＣＰＵ５０が実行するプログラム及び制御に必要な各種データ等が格納され、フラッシュメモリ５８には、ＣＣＤ画素欠陥情報、カメラ動作に関する各種定数／情報等が格納されている。
【００４４】
また、メモリ（ＳＤＲＡＭ、Synchronous Dynamic Random Access Memory）６０は、プログラムの展開領域及びＣＰＵ５０の演算作業用領域として利用されるとともに、画像データや音声データの一時記録領域として利用される。ＶＲＡＭ（Video Random Access Memory）６２は、画像データ専用の一時記録メモリであり、Ａ領域６２ＡとＢ領域６２Ｂを含んでいる。なお、メモリ６０とＶＲＡＭ６２は共用することが可能である。
【００４５】
なお、フラッシュメモリ５８は不揮発性のメモリであり、メモリ６０は揮発性のメモリである。
【００４６】
操作スイッチ群６４は、上記したレリーズボタン２０及び電源スイッチ２２等を含むブロックである。これら各種の操作スイッチからの信号はＣＰＵ５０に入力され、ＣＰＵ５０は入力信号に基づいて撮像装置１０の各回路を制御し、例えば、レンズ駆動制御、撮像動作制御、画像処理制御、画像データの記録／再生制御、液晶モニタ２８の表示制御等を行う。
【００４７】
撮像装置１０は、メディアソケット（メディア装着部）６６を有し、メディアソケット６６には記録メディア６８を装着することができる。記録メディア６８の形態としては、xD-PictureCard（商標）、スマートメディア（商標）に代表される半導体メモリカード、可搬型小型ハードディスク、磁気ディスク、光ディスク、光磁気ディスク等、種々の媒体を用いることができる。メディアコントローラ７０は、メディアソケット６６に装着される記録メディア６８に適した入出力信号の受渡しを行うために所要の信号変換を行う。
【００４８】
また、撮像装置１０は、パーソナルコンピュータその他の外部機器と接続するための通信手段として外部接続インターフェース（Ｉ／Ｆ）部７２を備える。撮像装置１０は、図示せぬＵＳＢケーブル等を用いて撮像装置１０と外部機器を接続することにより、外部機器との間でデータの受渡しが可能となる。なお、外部機器との通信方式はＵＳＢに限らず、IEEE1394やBluetooth、その他の通信方式を適用してもよい。
【００４９】
次に、撮像装置１０の撮像機能について説明する。モードスイッチ３０によって撮像モードが選択されると、カラーＣＣＤ固体撮像素子７４（以下の説明では、ＣＣＤ７４と記載する）を含む撮像部に電源が供給され、撮像可能な状態になる。
【００５０】
レンズユニット７６は、フォーカスレンズ７８及びズームレンズ８０を含む撮影レンズ１４と、絞り兼用メカシャッタ８２とを含む光学ユニットである。撮影レンズ１４のフォーカシングは、フォーカスレンズ７８をフォーカスモータ７８Ａによって移動させることにより行われ、ズーミングは、ズームレンズ８０をズームモータ８０Ａで移動させることにより行われる。フォーカスモータ７８Ａとズームモータ８０Ａは、それぞれフォーカスモータドライバ７８Ｂとズームモータドライバ８０Ｂにより駆動制御される。ＣＰＵ５０は、このフォーカスモータドライバ７８Ｂとズームモータドライバ８０Ｂに制御信号を出力して制御する。
【００５１】
絞り８２は、いわゆるターレット型絞りで構成されており、Ｆ２．８からＦ８の絞り孔が穿孔されたターレット板を回転させて絞り値（Ｆ値）を変化させる。この絞り８２の駆動はアイリスモータ８２Ａによって行われる。アイリスモータ８２Ａはアイリスモータドライバ８２Ｂにより駆動制御される。ＣＰＵ５０は、このアイリスモータドライバ８２Ｂに制御信号を出力して制御する。
【００５２】
レンズユニット７６を通過した光は、ＣＣＤ７６の受光面に結像される。ＣＣＤ７４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプ等）で配置されている。また、ＣＣＤ７４は、各フォトダイオードの電荷蓄積時間（シャッタースピード）を制御する電子シャッター機能を有している。ＣＰＵ５０は、タイミングジェネレータ（ＴＧ）８４を介してＣＣＤ７４での電荷蓄積時間を制御する。
【００５３】
ＣＣＤ７４の受光面に結像された被写体像は、各フォトダイオードによって入射光量に応じた量の信号電荷に変換される。各フォトダイオードに蓄積された信号電荷は、ＣＰＵ５０の指令に従いＴＧ８４から与えられる駆動パルスに基づいて信号電荷に応じた電圧信号（画像信号）として順次読み出される。
【００５４】
ＣＣＤ７４から出力された信号はアナログ処理部（ＣＤＳ／ＡＭＰ）８６に送られ、ここで画素ごとのＲ、Ｇ、Ｂ信号がサンプリングホールド（相関二重サンプリング処理）され、増幅された後、Ａ／Ｄ変換器８８に加えられる。Ａ／Ｄ変換器８８によってデジタル信号に変換された点順次のＲ、Ｇ、Ｂ信号は、画像入力コントローラ９０を介してメモリ６０に記録される。
【００５５】
画像信号処理回路９２は、メモリ６０に記録されたＲ、Ｇ、Ｂ信号をＣＰＵ５０の指令に従って処理する。すなわち、画像信号処理回路９２は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ５０からのコマンドに従ってメモリ６０を活用しながら所定の信号処理を行う。
【００５６】
画像信号処理回路９２に入力されたＲＧＢの画像データは、画像信号処理回路９２において輝度信号（Ｙ信号）及び色差信号（Ｃｒ、Ｃｂ信号）に変換されるとともに、ガンマ補正等の所定の処理が施される。画像信号処理回路９２で処理された画像データはＶＲＡＭ６２に格納される。
【００５７】
撮像画像を液晶モニタ２８にモニタ出力する場合、ＶＲＡＭ６２から画像データが読み出され、バス５４を介してビデオエンコーダ９４に送られる。ビデオエンコーダ９４は、入力された画像データを表示用の所定方式の信号（例えば、ＮＴＳＣ方式のカラー複合画像信号）に変換して液晶モニタ２８に出力する。
【００５８】
ＣＣＤ７４から出力される画像信号によって、１コマ分の画像を表す画像データがＶＲＡＭ６２のＡ領域６２ＡとＢ領域６２Ｂとで交互に書き換えられる。ＶＲＡＭ６２のＡ領域６２Ａ及びＢ領域６２Ｂのうち、画像データが書き換えられている方の領域以外の領域から、書き込まれている画像データが読み出される。このようにしてＶＲＡＭ６２内の画像データが定期的に書き換えられ、その画像データから生成される画像信号が液晶モニタ２８に供給されることにより、撮像中の映像がリアルタイムに液晶モニタ２８に表示される。撮像者は、液晶モニタ２８に表示される映像（スルームービー画）によって撮像画角を確認できる。
【００５９】
レリーズボタン２０が半押しされると、撮像装置１０はＡＥ及びＡＦ処理を開始する。すなわち、ＣＣＤ７４から出力された画像信号はＡ／Ｄ変換後に画像入力コントローラ９０を介してＡＦ検出回路９６並びにＡＥ／ＡＷＢ検出回路９８に入力される。
【００６０】
ＡＥ／ＡＷＢ検出回路９８は、１画面を複数のエリア（例えば、８×８又は１６×１６）に分割し、分割エリアごとにＲＧＢ信号を積算する回路を含み、その積算値をＣＰＵ５０に提供する。ＣＰＵ５０は、ＡＥ／ＡＷＢ検出回路９８から得た積算値に基づいて被写体の明るさ（被写体輝度）を検出し、撮像に適した露出値（撮像ＥＶ値）を算出する。求めた露出値と所定のプログラム線図に従い、絞り値とシャッタースピードが決定され、これに従いＣＰＵ５０はＣＣＤ７４の電子シャッター及びアイリスを制御して適正な露光量を得る。
【００６１】
また、ＡＥ／ＡＷＢ検出回路９８は、自動ホワイトバランス調整時には、分割エリアごとにＲＧＢ信号の色別の平均積算値を算出し、その算出結果をＣＰＵ５０に提供する。ＣＰＵ５０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランス補正値）を制御し、各色チャンネルの信号に補正をかける。なお、ホワイトバランス調整の詳細は後述する。
【００６２】
撮像装置１０におけるＡＦ制御は、例えば、画像信号のＧ信号の高周波成分が極大になるようにフォーカスレンズ７８を移動させるコントラストＡＦが適用される。すなわち、ＡＦ検出回路９６は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００６３】
ＡＦ検出回路９６により求められた積算値のデータはＣＰＵ５０に通知される。ＣＰＵ５０は、フォーカスモータドライバ７８Ｂを制御してフォーカスレンズ７８を移動させながら、複数のＡＦ検出ポイントで焦点評価値（ＡＦ評価値）を演算し、評価値が極大となるレンズ位置を合焦位置として決定する。そして、ＣＰＵ５０は、求めた合焦位置にフォーカスレンズ７８を移動させるようにフォーカスモータドライバ７８Ｂを制御する。なお、ＡＦ評価値の演算はＧ信号を利用する態様に限らず、輝度信号（Ｙ信号）を利用してもよい。
【００６４】
レリーズボタン２０が半押しされ、ＡＥ／ＡＦ処理が行われ、レリーズボタン２０が全押しされ、記録用の撮像動作がスタートする。レリーズボタン２０の全押しに応動して取得された画像データは画像信号処理回路９２において輝度／色差信号（Ｙ／Ｃ信号）に変換され、ガンマ補正等の所定の処理が施された後、メモリ６０に格納される。
【００６５】
メモリ６０に格納されたＹ／Ｃ信号は、圧縮伸張回路１００によって所定のフォーマットに従って圧縮された後、メディアコントローラ７０を介して記録メディア６８に記録される。例えば、静止画についてはＪＰＥＧ（Joint Photographic Experts Group）形式で記録される。
【００６６】
モードスイッチ３０により再生モードが選択されると、記録メディア６８に記録されている最終の画像ファイル（最後に記録されたファイル）の圧縮データが読み出される。最後の記録に係るファイルが静止画ファイルの場合、この読み出された画像圧縮データは、圧縮伸張回路１００を介して非圧縮のＹＣ信号に伸張され、画像信号処理回路９２及びビデオエンコーダ９４を介して表示用の信号に変換された後、液晶モニタ２８に出力される。これにより、当該ファイルの画像内容が液晶モニタ２８の画面上に表示される。
【００６７】
静止画の一コマ再生中（動画の先頭フレーム再生中も含む）に、ストロボボタン３６（右キー）又はマクロボタン３４（左キー）を操作することによって、再生対象のファイルを切り換えること（順コマ送り／逆コマ送り）ができる。コマ送りされた位置の画像ファイルが記録メディア６８から読み出され、上記と同様にして静止画像や動画が液晶モニタ２８に再生表示される。
【００６８】
また、再生モード時に、パーソナルコンピュータやテレビ等の外部ディスプレイがビデオ入出力端子１０２を介して撮像装置１０に接続されている場合には、記録メディア６８に記録されている画像データはビデオ出力回路１０４により処理されて、この外部ディスプレイに再生表示される。
【００６９】
また、ＣＰＵ５０には、オーディオ入出力回路１０６が接続される。オーディオ入出力回路１０６には、スピーカ１０８及びマイク１１０が接続され、撮像モード時や再生モード時等における各種動作音が再生出力されるとともに、動画撮像時の音声信号が入力される。
【００７０】
次に、撮像装置１０の電源オフ時におけるＣＰＵ５０の処理の流れについて、図４のフローチャートを参照して説明する。まず、ユーザにより電源スイッチ２２が操作されて電源オフになると、フラッシュメモリ５８の空き容量が算出される（ステップＳ１０）。そして、算出された空き容量がフラッシュメモリ５８に記録される（ステップＳ１２）。ステップＳ１２では、フラッシュメモリ５８の空き容量は、静止画の撮像可能枚数及び動画の撮像可能時間として記録されるようにしてもよい。なお、静止画の撮像可能枚数及び動画の撮像可能時間は、画質、記録画素数等の設定ごとに算出される。
【００７１】
次に、撮像装置１０の電源オン時におけるＣＰＵ５０の処理の流れについて、図５のフローチャートを参照して説明する。まず、ユーザにより電源スイッチ２２が操作されて電源オンになると、各種のパラメータの初期化等の処理が行われるとともに（ステップＳ２０）、撮影レンズ１４の繰り出し等の撮影準備処理が行われる（ステップＳ２２）。また、上記の処理と並行して記録メディア６８の空き容量の解析が行われる（ステップＳ２４）。そして、撮影準備処理が終了し（ステップＳ２６のＹｅｓ）、記録メディア６８の空き容量の解析が終了した場合（ステップＳ２８のＹｅｓ）、撮像装置１０は、全ての撮影準備が終了して撮像可能な状態になる。
【００７２】
一方、撮影準備処理は終了しているが（ステップＳ２６のＹｅｓ）、記録メディア６８の空き容量の解析が終了していない段階で（ステップＳ２８のＮｏ）、レリーズボタン２０が押下されると（ステップＳ３０のＹｅｓ）、電源オフ時（図４参照）に検出されたフラッシュメモリ５８の空き容量が撮像される画像のサイズ以上であれば（ステップＳ３２のＹｅｓ）、撮像が実行され、撮像された画像はフラッシュメモリ５８に記録され（ステップＳ３４）、ステップＳ２４の処理に戻る。
【００７３】
一方、フラッシュメモリ５８の空き容量が撮像される画像のサイズ未満であれば（ステップＳ３２のＮｏ）、図６に示すような警告画面が液晶モニタ２８に表示され（ステップＳ３６）、ステップＳ２４の処理に戻る。
【００７４】
なお、ステップＳ３０におけるレリーズボタン２０の押下は、半押しであっても全押しであってもよい。ステップＳ３０におけるレリーズボタン２０の押下が半押しの場合には、ステップＳ３６においてレリーズボタン２０が全押しできないようにロックされるようにしてもよい。
【００７５】
本実施形態によれば、電源オン時において、記録メディア６８の空き容量の解析が終了する前にレリーズボタン２０が押下された場合であっても、フラッシュメモリ５８に画像を記録することができる。
【００７６】
なお、動画を撮像する場合には、上記ステップＳ３４のフラッシュメモリ記録撮影において撮像開始からの経過時間が動画の撮像可能時間を超えた場合に、警告画面を表示するようにするとよい。
【００７７】
また、本実施形態では、不揮発性のフラッシュメモリ５８に画像を記録するようにしたが、例えば、揮発性のメモリ６０又はＶＲＡＭ６２、又はこれらに分散させて画像を記録するようにしてもよい。揮発性のメモリ６０又はＶＲＡＭ６２に画像を記録する場合には、図４に示す電源オフ時の処理を要しない。また、この場合、電源がオフされる前に、メモリ６０又はＶＲＡＭ６２に記録された画像を不揮発性のフラッシュメモリ５８又は記録メディア６８に移動又はコピーすればよい。
【００７８】
次に、撮像装置１０の電源オン時におけるＣＰＵ５０の処理の別の実施形態について、図７のフローチャートを参照して説明する。なお、図７のステップＳ４０からＳ５６の処理については、図５のステップＳ２０からＳ３６と同様であり、ステップＳ４８の記録メディア６８の空き容量解析の終了前に（ステップＳ４８のＮｏ）、撮像された画像はフラッシュメモリ５８に記録される。
【００７９】
撮影準備処理が終了し（ステップＳ４６のＹｅｓ）、記録メディア６８の空き容量の解析が終了した場合（ステップＳ４８のＹｅｓ）、撮像装置１０は、全ての撮影準備が終了して撮像可能な状態になる。そして、フラッシュメモリ５８に画像が記録されている場合、フラッシュメモリ５８内の画像を記録可能な空き容量が記録メディア６８にあると判断された場合（ステップＳ５８のＹｅｓ）、フラッシュメモリ５８から記録メディア６８に画像が移動又はコピーされる（ステップＳ６０）。
【００８０】
本実施形態によれば、記録メディア６８の空き容量の解析が終了する前に撮像されて、フラッシュメモリ５８に記録された画像を、空き容量の解析後に記録メディア６８に移動又はコピーすることができる。これにより、空き容量の解析が終了する前に撮像した画像を記録メディア６８にまとめて記録することができる。また、フラッシュメモリ５８の空き容量を増加させて作業領域を確保することができる。
【００８１】
なお、動画を撮像する場合には、上記ステップＳ５４のフラッシュメモリ記録撮影において撮像開始からの経過時間が動画の撮像可能時間を超えた場合に、警告画面を表示するようにするとよい。
【００８２】
図７に示した実施形態では、不揮発性のフラッシュメモリ５８に画像を記録するようにしたが、例えば、揮発性のメモリ６０又はＶＲＡＭ６２に画像を記録するようにしてもよい。揮発性のメモリ６０又はＶＲＡＭ６２に画像を記録する場合には、図４に示す電源オフ時の処理を要しない。また、この場合、電源がオフされる前に、メモリ６０又はＶＲＡＭ６２に記録された画像を不揮発性のフラッシュメモリ５８又は記録メディア６８に移動又はコピーすればよい。なお、上記ステップＳ５８において、メモリ６０又はＶＲＡＭ６２内の画像を記録可能な空き容量が記録メディア６８にないと判断された場合、電源がオフされる前に、フラッシュメモリ５８に画像を移動又はコピーするようにすればよい。また、上記ステップＳ５８において、メモリ６０又はＶＲＡＭ６２内の画像を記録可能な空き容量がフラッシュメモリ５８にもないと判断された場合には、メモリ６０又はＶＲＡＭ６２内の画像をフラッシュメモリ５８及び記録メディア６８に分散して移動又はコピーするようにすればよい。また、フラッシュメモリ５８及び記録メディア６８の空き容量の合計よりもメモリ６０又はＶＲＡＭ６２内の画像の容量の方が大きい場合には、電源オフ時等に警告を表示させて、記録又は削除する画像を選択又は記録メディア６８の差し替え等をユーザに促すようにしてもよい。
【図面の簡単な説明】
【００８３】
【図１】本発明の一実施形態に係る情報処理装置を備える撮像装置を示す正面斜視図
【図２】本発明の一実施形態に係る情報処理装置を備える撮像装置を示す背面斜視図
【図３】撮像装置１０の主要構成を示すブロック図
【図４】撮像装置１０の電源オフ時におけるＣＰＵ５０の処理の流れを示すフローチャート
【図５】撮像装置１０の電源オン時におけるＣＰＵ５０の処理の流れを示すフローチャート
【図６】警告画面の例
【図７】撮像装置１０の電源オン時におけるＣＰＵ５０の処理の別の実施形態を示すフローチャート
【符号の説明】
【００８４】
１０…撮像装置、１２…カメラボディ、１４…撮影レンズ、１６…ストロボ、１８…ファインダ窓、２０…レリーズボタン、２２…電源スイッチ、２４…ファインダ接眼部、２６…ファインダランプ、２８…液晶モニタ、３０…モードスイッチ、３２…ズームボタン、３４…マクロボタン、３６…ストロボボタン、３８…ＭＥＮＵ／ＯＫボタン、４０…ＢＡＣＫボタン、４２…表示ボタン、５８…フラッシュメモリ
【図１】
2007180599.tif 000003
【図２】
2007180599.tif 000004
【図３】
2007180599.tif 000005
【図４】
2007180599.tif 000006
【図５】
2007180599.tif 000007
【図６】
2007180599.tif 000008
【図７】
2007180599.tif 000009